(57)【要約】【課題】外側から引戸の引手が目立たない構成にして収納家具の意匠性を良好にする。【解決手段】収納家具は、天板又は棚板からなる複数の横板３と、該横板に垂直な複数の方立板４，６とが組み付けられて収納空間が区画され、該収納空間Ｓ８を前側で開閉する引戸１１を備えている。引戸１１は、方立板４，６と接触せずにスライド移動可能となるように、方立板４，６よりも前側に配置され、引戸１１には、該引戸１１の裏面と側端面との間の隅角に引手１９が配設され、引手１９は、その裏面側及び側端面側が開放した凹部を有し、凹部の底面には、後方に向けて突設された手掛かり部を有する。【選択図】図４
2014145165.tif 000002
【特許請求の範囲】
【請求項１】
天板又は棚板からなる複数の横板と、該横板に垂直な複数の方立板とが組み付けられて収納空間が区画され、該収納空間を前側で開閉する引戸を備えた収納家具において、
前記引戸は、前記方立板と接触せずにスライド移動可能となるように、前記方立板よりも前側に配置され、
前記引戸には、該引戸の裏面と側端面との間の隅角に引手が配設され、
前記引手は、その裏面側及び側端面側が開放した凹部と、該凹部の底面に後方に向けて突設された手掛かり部とを有することを特徴とする収納家具。
【請求項２】
前記引戸は、前記横板の下面側に設けられたガイドレールを介して前記横板に左右方向にスライド移動可能に吊り下げ支持されていることを特徴とする請求項１に記載の収納家具。
【請求項３】
前記引戸の下端面には、前記引戸のスライド移動方向に沿って延びるガイド溝が形成され、
前記引戸下側の横板上面には、先端部が前記ガイド溝内にまで達するガイドピンが上方に向けて突設されて、
前記ガイド溝は、前記引戸のスライド移動方向端部に壁面を有し、
前記引戸の全閉位置が、前記ガイド溝の壁面と前記ガイドピンとの当接により位置付けられていることを特徴とする請求項１又は２に記載の収納家具。
【請求項４】
前記ガイドピンは、前記引戸の全閉位置が、前記引戸の前記引手が設けられた側端面側に指を通すことが可能な隙間が空いた位置となるように配置されていることを特徴とする請求項３に記載の収納家具。
【発明の詳細な説明】
【技術分野】
【０００１】
本発明は、収納家具に関し、特に、収納空間を開閉する扉として引戸が用いられている収納家具に関する。
【背景技術】
【０００２】
従来からキャビネット及びクローゼット等の収納家具の扉として、収納家具の前方にスペースを取らない、及び開けたままでも邪魔にならない等の理由から引戸が採用されている。通常、収納家具の引戸には、その表面（外側面）に、指を掛けることができて引戸の開閉を容易にするための引手が設けられている。
【０００３】
そのような引手は、種々の形状に形成されており、例えば特許文献１には、引戸の表面（外側面）に引手として凹部が形成されている構成が開示されている。また、特許文献２には、扉の表面から外側に向かって突設された断面視略コ字状の引手が開示されている。
【先行技術文献】
【特許文献】
【０００４】
【特許文献１】特開平９−２８７３２５号公報
【特許文献２】特開２００８−６９５８８号公報
【発明の概要】
【発明が解決しようとする課題】
【０００５】
しかしながら、特許文献１及び特許文献２に記載の引手を用いると、収納家具の引戸の開閉が容易になるものの、収納家具の正面において、引手が目立つため、引戸の表面と引手とが調和していないと、見映えが悪くなる。また、引戸を閉めるときと開けるときとで、引手に手指を掛ける位置を逆にする必要があり、特に高齢者等では開閉操作が負担となる。
【０００６】
本発明は、前記の問題に鑑みてなされたものであり、その目的は、収納家具の外側において、引戸の引手が目立たない構成にして、収納家具の意匠性を良好にすることにある。
【課題を解決するための手段】
【０００７】
前記の目的を達成するために、本発明は、収納家具における引手が、引戸の裏面と側端面との間の隅角に配設された構成とした。
【０００８】
具体的に、本発明に係る収納家具は、天板又は棚板からなる複数の横板と、該横板に垂直な複数の方立板とが組み付けられて収納空間が区画され、該収納空間を前側で開閉する引戸を備え、引戸は、方立板と接触せずにスライド移動可能となるように、方立板よりも前側に配置され、引戸には、該引戸の裏面と側端面との間の隅角に引手が配設され、引手は、その裏面側及び側端面側が開放した凹部と、該凹部の底面に後方に向けて突設された手掛かり部とを有する。
【０００９】
本発明に係る収納家具によると、引戸の裏面と側端面との間の隅角に引手が設けられているため、収納家具の正面から引手が目立たないので、見映えが悪化することなく、意匠性を良好にできる。また、引手は、後方に向けて突設された手掛かり部を有するため、引手に指を容易に掛けることができるので、引戸の開閉を容易にすることができる。さらに、引き戸の開閉時に手指を掛ける位置を変えることなく操作の負担を軽減できる。
【００１０】
なお、引戸は、横板の下面側に設けられたガイドレールを介して横板に左右方向にスライド移動可能に吊り下げ支持されることで、方立板と接触せずにスライド移動可能に配設され得る。
【００１１】
本発明に係る収納家具において、引戸の下端面には、引戸のスライド移動方向に沿って延びるガイド溝が形成され、引戸下側の横板上面には、先端部がガイド溝内にまで達するガイドピンが上方に向けて突設されて、ガイド溝は、引戸のスライド移動方向端部に壁面を有し、引戸の全閉位置が、ガイド溝の壁面とガイドピンとの当接により位置付けられていてもよい。
【００１２】
このようにすると、引戸を所望の全閉位置で停止でき、また、引戸が横板から脱落することを防止できる。
【００１３】
この場合、ガイドピンは、引戸の全閉位置が、引戸の引手が設けられた側端面側に指を通すことが可能な隙間が空いた位置となるように配置されていることが好ましい。
【００１４】
このようにすると、引戸が全閉位置にあるときに、収納家具の側方の壁、又は同一の横板に吊り下げ支持された他の引戸等と接触せずに、引戸の引手に指が届く隙間があるため、常に引戸の開閉が容易となり、さらに、指を挟むことをも防止できる。
【発明の効果】
【００１５】
本発明に係る収納家具によると、収納家具の正面から引手を目立たなくできるため、見映えが悪化することなく、意匠性を良好にできると共に、引き戸の開閉時に手指を掛ける位置を変えることなく操作の負担を軽減できる。
【図面の簡単な説明】
【００１６】
【図１】本発明の一実施形態に係る収納家具の構成の概略を示す正面図である。
【図２】本発明の一実施形態に係る収納家具の構成の概略を示す平面図である。
【図３】本発明の一実施形態に係る収納家具の構成の概略を示す側面図である。
【図４】（ａ）及び（ｂ）は本発明の一実施形態に係る収納家具の上側インセット扉を示す正面図であり、（ａ）は収納空間を閉じた状態を示し、（ｂ）は収納空間を開いた状態を示している。
【図５】上側インセット扉及びそのスライド機構を示す扉の裏側から見た斜視図である。
【図６】（ａ）及び（ｂ）は上側インセット扉を示し、（ａ）はその表面側の斜視図であり、（ｂ）はその裏面側の斜視図である。
【図７】（ａ）〜（ｃ）は、引手の形状のバリエーションを示す、図６のVII-VII線における端面図である。
【発明を実施するための形態】
【００１７】
以下、本発明を実施するための形態を図面に基づいて説明する。以下の好ましい実施形態の説明は、本質的に例示に過ぎず、本発明、その適用物或いはその用途を制限することを意図するものでない。
【００１８】
（収納家具の構成）
まず、本発明の一実施形態に係る収納家具の全体的な構成について図１〜図３を参照しながら説明する。図１は本実施形態の収納家具の正面図であり、図２はその平面図であり、図３はその側面図である。なお、図１〜図３では、図の簡略化のために、後に説明する各扉のスライド機構を省略している。
【００１９】
図１〜図３において、Ｆは例えば住宅におけるリビングルーム等の室内の床、Ｗはその壁部であって、この壁部Ｗ前側の床Ｆ上には収納家具１が設置されている。この収納家具１は、床Ｆと平行な横板である４枚の棚板３，３，…（最上に位置するものは天板ともいう）と、棚板３，３，…と垂直に上下方向（鉛直方向）に延びると共に棚板３で分断された左右４枚の方立板４，４，…とを備えている。この収納家具１では、それら棚板３，３，…と方立板４，４，…とを格子状に組んで一体化しており、それらにより、複数の収納空間が区画されている。
【００２０】
例えば、収納家具１の左右中央下部寄りには、例えば薄型テレビ（図示せず）を収納するためのテレビ収納空間Ｓ１が区画されている。また、この収納家具１のテレビ収納空間Ｓ１の左右両側に隣接する左側及び右側の２枚の方立板４，４間にはそれぞれ水平方向に延びると共に収納空間Ｓ１で分断された横板である分割棚板５，５が掛け渡されている。また、テレビ収納空間Ｓ１の上側に位置する３枚の棚板３，３，…間には、収納家具１の左右中央に位置する上下方向（鉛直方向）に延びる分割方立板６が配設されている。さらに、収納家具１の下部（テレビ収納空間Ｓ１よりも下側）に位置する４枚の方立板４，４，…間には水平方向に延びる底板７が掛け渡されている。以上の方立板４，４，…、分割方立板６、棚板３，３，…、分割棚板５，５及び底板７により、収納家具１にはテレビ収納空間Ｓ１以外に１５の収納空間Ｓ２，Ｓ２，…，Ｓ９が区画されている。
【００２１】
また、収納家具１の前部には、左右２枚の縦長の引戸であるアウトセット扉１０，１０と、このアウトセット扉１０，１０よりも後側に位置し、収納家具１の上端部に位置する左右２枚の引戸である上側インセット扉１１，１１、及び該上側インセット扉１１，１１の下側に位置する左右２枚の引戸である下側インセット扉１２，１２とがそれぞれ後述するスライド機構により左右方向にスライド移動可能に取付支持されている。なお、このような引戸の取付及びスライド機構については、後に詳細に説明する。
【００２２】
上記各アウトセット扉１０は、テレビ収納空間Ｓ１の左右半部及び該テレビ収納空間Ｓ１の上側に隣接する収納空間Ｓ７と、テレビ収納空間Ｓ１の左右に隣接する上下２つの収納空間Ｓ３，Ｓ４及び該両収納空間Ｓ３，Ｓ４の上側に隣接する収納空間Ｓ５との間をスライド移動して、前者の収納空間Ｓ１，Ｓ７及び後者の収納空間Ｓ３〜Ｓ５を交互に開閉する。また、上側インセット扉１１は、収納家具１上端の左右中央寄りの収納空間Ｓ８，Ｓ８と、その左右両側に隣接する収納空間Ｓ６，Ｓ６との間を移動して両収納空間Ｓ８，Ｓ６を交互に開閉する。さらに、下側インセット扉１２，１２は、上から２番目でテレビ収納空間Ｓ１の上側に隣接する収納空間Ｓ７，Ｓ７と、その左右両側に隣接する収納空間Ｓ５，Ｓ５との間を移動して両収納空間Ｓ７，Ｓ５を交互に開閉する。
【００２３】
また、収納家具１において、テレビ収納空間Ｓ１真下の収納空間Ｓ９には例えばＡＶ機器（図示せず）が設置される。そのため、この収納空間Ｓ９の周囲に位置する部分である収納家具１前端部には透明ガラス製の開閉扉１３が例えば下端部にて左右水平方向の軸心を有するヒンジ（図示せず）により揺動可能に支持され、この開閉扉１３により収納空間Ｓ９を開閉するようにしている。
【００２４】
さらに、テレビ収納空間Ｓ１よりも下側の左右の収納空間Ｓ２，Ｓ２にはそれぞれ引出し１４，１４が前後方向にスライド移動可能に収容されている。
【００２５】
（引戸及びそのスライド機構）
次に、本実施形態に係る引戸である上記上側インセット扉１１及びそのスライド機構の詳細について図４（ａ）、（ｂ）及び図５を参照しながら説明する。図４は、収納家具１の上側インセット扉１１及びそのスライド機構を示す正面図であり、（ａ）は収納空間Ｓ８を閉じた状態を示し、（ｂ）は収納空間Ｓ８を開いた状態を示す。図５は上側インセット扉１１及びそのスライド機構を示す斜視図である。
【００２６】
図４（ａ）及び（ｂ）に示すように、上記のスライド機構として、上側インセット扉１１，１１の上部には吊り車１５が取り付けられている一方、棚板３の下面には方立板４及び分割方立板６の板面と垂直方向に延びる溝１６ａが形成されており、その溝１６ａには、同様に方立板４及び分割方立板６の板面と垂直方向に延びるガイドレール１６が嵌合されている。
【００２７】
具体的に、図５に示すように、上側インセット扉１１の裏面の上部には取付穴部１１ａが設けられ、吊り車１５の下部に配置した取付部１５ａが取付穴部１１ａに嵌合されることにより、上側インセット扉１１に吊り車１５が取り付けられる。取付穴部１１ａは、上側インセット扉１１の裏面（収納空間側）から上端面に亘って形成された穴部の壁面及びその周縁部を覆い、且つ吊り車１５の取付部１５ａの形状に対応するように形成された金属部材により構成されている。
【００２８】
吊り車１５は、上記の通り、上記取付穴部１１ａに嵌合される取付部１５ａを有し、また、その上部には車輪部１５ｂが設けられている。車輪部１５ｂは、上記棚板３の下面に形成された溝１６ａ（図５では図示せず）に配設される断面略Ｃ字状のガイドレール１６内に収容されて、その内底面上を走行自在となるように取り付けられている。
【００２９】
これにより、図４（ａ）及び（ｂ）に示すように、上側インセット扉１１，１１は、吊り車１５を介して棚板３に吊り下げ支持され、また、ガイドレール１６に沿って左右にスライド移動可能となっている。
【００３０】
また、ガイドレール１６は、方立板４及び分割方立板６よりも収納空間Ｓ８外側（前側）に配置されており、このことで、上側インセット扉１１は、方立板４及び分割方立板６と接触することなく、その前方をガイドレール１６に沿ってスライド移動可能に構成されている。
【００３１】
上側インセット扉１１の下端面には、上側インセット扉１１のスライド移動方向（左右方向）に延びるガイド溝１７が形成されている。但し、ガイド溝１７は、上側インセット扉１１の側端にまで達しないように形成されており、すなわち、ガイド溝１７の長さ方向（左右方向）の端部には壁面１７ａ，１７ｂがある。一方、上側インセット扉１１の下側に位置する棚板３の上面には、上方に突出してその先端部がガイド溝１７内にまで達するガイドピン１８が設けられている。ガイドピン１８は、同一の棚板３に吊り下げ支持された左右一対の上側インセット扉１１，１１同士が、収納空間Ｓ８，Ｓ８を全閉（収納空間Ｓ６，Ｓ６は全開）した状態のときに、上側インセット扉１１，１１同士のそれぞれの側端面が互いに接触しないように、ガイド溝１７の壁面１７ａに当接して上側インセット扉１１，１１のスライド移動を規制できるように配置されている。このため、左右一対の上側インセット扉１１，１１の両方が収納空間Ｓ８を全閉した状態であっても、上側インセット扉１１，１１の互いに対向する側端面同士の間に常に隙間が形成される。このとき、その隙間は手指が通る程度の隙間となるようにガイドピン１８は配置されており、これにより、上側インセット扉１１，１１同士の間で指を挟むおそれがない。さらに、後に詳細に説明するが、上側インセット扉１１の引手１９は、上側インセット扉１１の裏面と側端面との間の隅角に設けられ、言い換えると、その裏面から側端面にまで亘って設けられており、上側インセット扉１１，１１同士の間に常に隙間が形成されるので、常に引手１９に手を掛けることが可能となる。
【００３２】
なお、ガイドピン１８は、上側インセット扉１１が収納空間Ｓ８を全閉（収納空間Ｓ６を全開）した状態のときに、ガイド溝１７の一方の壁面１７ａと当接し、反対に、上側インセット扉１１が収納空間Ｓ８を全開（収納空間Ｓ６を全閉）した状態のときには、ガイドピン１８がガイド溝１７の他方の壁面１７ｂと当接するように配置されていることが好ましい。このようにすると、上側インセット扉１１をその全開位置と全閉位置との間のみでスライド移動させることが可能となる。
【００３３】
また、図示しないが、上側インセット扉１１が収納空間Ｓ８を全開及び全閉する位置に対応して、ガイドレール１６に吊り車１５の走行を規制するストッパ部材が設けられていてもよい。このようにすることで、該ストッパ部材がガイド溝１７及びガイドピン１８と共同して、上側インセット扉１１を全開位置と全閉位置との間のみでスライド移動させることが可能となり、さらに、吊り車１５がガイドレール１６から脱落することを防止できる。
【００３４】
（引手）
次に、上側インセット扉１１の引手について、図６（ａ）、（ｂ）及び図７を参照しながら説明する。図６（ａ）は上側インセット扉１１の表面側の斜視図であり、（ｂ）は上側インセット扉１１の裏面側の斜視図である。図７（ａ）〜（ｃ）は、引手の形状のバリエーションを示す、図６のVII-VII線における端面図である。なお、図６（ａ）及び（ｂ）では、図の簡略化のために、取付穴部１１ａ及び吊り車１５を省略している。
【００３５】
図６（ａ）及び（ｂ）に示すように、上側インセット扉１１には、その裏面と側端面との間の隅角に引手１９が設けられている。具体的に、引手１９は、上側インセット扉１１の裏面と接する裏面片１９ａと、該裏面片１９ａに対して略垂直であり且つ上側インセット扉１１の側端面と接する側端面片１９ｂとを含む。また、裏面片１９ａは、その厚さ方向に窪んだ凹部１９ｃを有する。凹部１９ｃは、その裏面側（収納空間側）のみならず、側端面側も開放した形状である。すなわち、凹部１９ｃは、底面と、上側、下側及び上側インセット扉１１の中央側の３つの壁面とを有する。
【００３６】
このような引手１９を上側インセット扉１１に取り付ける場合、上側インセット扉１１にも凹部１９ｃに対応するように、その裏面から側端面に亘って窪み部を形成し、形成されたその窪み部に引手１９の凹部１９ｃを嵌め込む。さらに、凹部１９ｃの周辺における裏面片１９ａ及び側端面片１９ｂをビス等の取付部材（図示せず）により上側インセット扉１１の裏面及び側端面に取り付けることで、引手１９を上側インセット扉１１に固定することができる。このような引手１９は、上記の通り、上側インセット扉１１の裏面側及び側端面側が開放した凹部１９ｃを有するため、上側インセット扉１１の側端面側から裏面側に向かって手を入れて、引手１９に指を掛けることができる。
【００３７】
本実施形態に係る引手１９は、上側インセット扉１１の裏面から側端面に跨って設けられているため、上側インセット扉１１の表面側から目立たず、収納家具１の正面視における引戸の意匠性を悪化することがない。また、本実施形態では、上記の通り、左右一対の上側インセット扉１１，１１の両方が全閉状態であっても、ガイド溝１７及びガイドピン１８により、上側インセット扉１１，１１同士の間に常に隙間があるので、引手１９に手を掛けることが可能となる。
【００３８】
また、図７（ａ）に示すように、本実施形態に係る引手１９は、その凹部１９ｃにおける上側インセット扉１１の側端面側の端部に、手掛かり部として、後方（収納空間側）に突出した凸部２０が形成されている。これにより、引手１９に指が容易に掛かるため、上側インセット扉１１の開閉を容易にできる。ここでは、引手１９の手掛かり部として凸部２０を形成した例を示したが、これに限られず、図７（ｂ）に示すように、引手１９において、凸部２０に、その上側インセット扉１１の側端面側の端部から引手１９の中央部に向かって突出高さが徐々に低くなる傾斜面２１が形成されていてもよい。このような形状であっても、上記と同様に、引手１９に指が容易に掛かるようになるため、上側インセット扉１１の開閉を容易にできる。さらに、図７（ｃ）に示すように、凸部２０の傾斜面２１に凹凸部２２が形成されていてもよく、このようにすると、指が引手１９により掛かりやすくなり、上側インセット扉１１の開閉をより容易にできる。図７（ａ）〜（ｃ）に示す各手掛かり部は、引手１９の凹部１９ｃにおける上側インセット扉１１の側端面側の端部に配置されているが、指が掛かりやすい位置であれば、これに限られない。
【００３９】
本実施形態では、図４（ａ）及び（ｂ）に示すように引手１９を上側インセット扉１１の裏面から一方の側端面にまで亘って形成しているが、裏面から両方の側端面において引手１９が形成されていてもよい。このようにすると、隣接する収納空間Ｓ６，Ｓ８における上側インセット扉１１，１１の開閉がより容易となる。
【００４０】
また、本実施形態では、上術の通り、ガイドピン１８は、左右一対の上側インセット扉１１，１１同士が、収納空間Ｓ８，Ｓ８を全閉した状態のときに、それらのそれぞれの側端面が互いに接触せずに、左右一対の上側インセット扉１１，１１同士の間に指を通すことができる程度の隙間が残るように配置され、すなわち、引手１９，１９に指が掛かる隙間が生じるように配置されている。但し、これに限られず、例えば収納家具１がその後側だけでなく左側又は右側が壁部に接して設置されている場合、上側インセット扉１１と上記壁部との間に引手１９に指を掛けることを可能とする隙間が生じるように配置されていてもよい。
【００４１】
また、本実施形態では、上側インセット扉１１に掘り込んだ凹部に金属又は樹脂製の別部材を取り付けて引手１９を設けているが、それと同様の形状となるように、上側インセット扉１１に対してＮＣルーター等を用いて直接に加工して引手１９を設けてもよい。
【００４２】
なお、上側インセット扉１１は、前記方立板４及び分割方立板６と接触せずに棚板３に沿ってスライド移動できれば、その支持固定方法は限定されない。
【００４３】
また、本実施形態では、上側インセット扉１１を例として引戸、そのスライド機構及び引手について説明したが、当然にアウトセット扉１０及び下側インセット扉１２にも、上記の引戸、そのスライド機構及び引手を同様に適用可能である。但し、アウトセット扉１０の場合、スライド機構において、吊り車１５がアウトセット扉１０の裏面側上部に取り付けられており、その吊り車１５が棚板３の下面側の溝に設けられたガイドレール１６に取り付けられることで、アウトセット扉１０が棚板３に吊り下げ支持される。
【産業上の利用可能性】
【００４４】
本発明は、外側から引戸の引手が目立たずに意匠性が高いので、収納空間を開閉する扉として引戸が用いられた収納家具等に有用である。
【符号の説明】
【００４５】
１  収納家具
３  棚板（横板）
４  方立板
５  分割棚板（横板）
６  分割方立板
７  底板
１０  アウトセット扉（引戸）
１１  上側インセット扉（引戸）
１１ａ  取付穴部
１２  下側インセット扉（引戸）
１３  開閉扉
１４  引出し
１５  吊り車
１５ａ  取付部
１５ｂ  車輪部
１６  ガイドレール
１６ａ  溝
１７  ガイド溝
１８  ガイドピン
１９  引手
１９ａ  裏面片
１９ｂ  側端面片
１９ｃ  凹部
２０  凸部（手掛かり部）
２１  傾斜面（手掛かり部）
２２  凹凸部（手掛かり部）
【図１】
2014145165.tif 000003
【図２】
2014145165.tif 000004
【図３】
2014145165.tif 000005
【図４】
2014145165.tif 000006
【図５】
2014145165.tif 000007
【図６】
2014145165.tif 000008
【図７】
2014145165.tif 000009